Podtech/llm-jp-corpus-v4-ja_patent huggingface dataset:
(57)【要約】      （修正有）【課題】現在の車載バッテリーの蓄電能力限界を超えて、車両走行エネルギーを電気エネルギーへ変換し、その電力を社会電気エネルギー・インフラ実現に役立てる発電車両を提供する。【解決手段】車両搭載のバッテリー電力対応の電気回路とは別途の電力回路を機能させ、その発電電力を車両外部へ直接給電させる。【効果】車載バッテリー蓄電能力に拘束されることなく、車両発電能力を高めれば高めるだけ、外部への給電量を増加させることが可能となり、同時に当該車両での利用消費量をも増加させるこが可能である。【選択図】なし【特許請求の範囲】
【請求項１】
発電車両が社会インフラ用電力を走行中に継続的な給電を可能とするため、車載バッテリー電源対応給電回路とは区別される、発電車両の走行で発電される電力を電源とする別途給電回路を付帯し、この回路で各用途先別に用途先適合電力を供給する用途先適合電力供給調整装置、この適合電力供給調整装置を機能させるため各電力用途先装置に装備される各種センサー類、そして発電車両発電から各種センサー装置までの機能を瞬時総合的に制御・管理を行う電子コントローラー、これ等をパッケージとする発電車両別途給電回路。
【発明の詳細な説明】
【技術分野】
【０００１】  発電車両におけるバッテリー電源対応回路に対する別途電気回路
【発明が解決しようとする課題】
【０００２】  通常車両に搭載されるバッテリーは搭載車両自身の走行及びその電装装置に必要な電力源とされている。このバッテリーに蓄電されている電力を、場合により有線方式あるいは無線方式で車外に給電することで、各種用途に利用することは現在可能である。しかしこの用途では車両を用途スッポトで駐停車させる必要があり、車両本来の目的である走行の用途を犠牲にすることともなる。
さらにバッテリーは本来蓄電能力が限定的であり、そのバッテリーを搭載した全車両の電源を仮に車外用途エネルギーとして利用したとしても、社会インフラ電力量との比較において極端に貢献度の低いものとなる。そして車載バッテリー電力を車外用途のために使用してしまった場合は、その分の電力量を外部電源から充電する必要があり、社会インフラ電力量にとり意味をなさない。
【課題を解決するための手段】
【０００３】  本発明は車両の走行エネルギーを電気エネルギーへ変換して得たその電力を、車両搭載バッテリーの蓄電能力に限定されることなく、走行中常時車両外への給電を可能とする給電回路システム装置を具備する。
【発明を実施するための形態】
【０００４】  発電車両とは車両走行エネルギーを電気エネルギーへ変換する機能装置を具備した車両である。発電車両が発電した電力を、当該車両に搭載している本来目的のバッテリーに蓄電することを必要とせず、車外用途先へ直接給電を可能とする電気回路システムを具備する。この回路システムは車両搭載バッテリーに対応させた電気回路とは別途システムの回路である。この別途電気回路システムは車両走行により発電された電力を車外用途装置へ直接給電し、また一部電力は必要に応じ車両用途装置へも直接給電させる。この別途電気回路システムには直接給電の際に給電先装置の用途に適合した電力を供給するため、各供給先装置には各種センサー類が装着されており、これ等センサーからの情報を統合的に瞬時に制御・管理する電子コントローラーシステム機能が組込まれる。
【発明の効果】
【０００５】  発電車両と発電車両から供給される電力をネットワーク化することで、クリーンな社会ベスロード級の新電源を創出することが可能である。
また社会がこの新電源創出に向かうことは、世界にエコカーが急速に普及することを意味する。
(57)【要約】【課題】ドアノブに取り付けるキーボックスは大きなものは入らないので、その収納体積を増やし宅配ボックスとしても使用できる施錠可保管ボックスを目指す【解決手段】ドアノブに取り付けるベルトないし金物と、ワイヤー式南京錠の組み合わせにより、キーボックスから宅配ボックスまで使用可能な保管ボックスとし、保管ボックスの持ち運びにかさばらないよう折りたためる保管ボックスや荷縛りベルトが使用できることを可能にした。【選択図】図１
2018188868.tif 000002
【特許請求の範囲】
【請求項１】
ワイヤー貫通式ドアノブに取り付けるベルトや金物                    
【請求項２】
ワイヤー貫通式施錠折りたたみ可能保管ボックス                     
【請求項３】
ワイヤー伸縮可能南京錠                        
【請求項４】
ワイヤー貫通式荷物保管ベルト                                
【発明の詳細な説明】
【技術分野】
【０００１】
この発明は、キーボックスや宅配ボックスに関する
【背景技術】
【０００２】
従来のキーボックスと宅配ボックスは、保管方法を異なるものとしていた
【発明の概要】
【発明が解決しようとする課題】
【０００３】
従来の技術によれば、キーボックスは鍵が数本しか収納することができなく、大きな物の収納はできないのでその収納体積を増やすことを課題とする。及び宅配便などで送られて来る大きめの物をキーボックスのように暗証番号にて、配送者がドアノブなどを利用して運搬物を置き暗証番号をポストに入れることで、荷物の受け渡しができることを目的とし、一時的に設置使用できる収納ボックスを提供することを課題とする。
【課題を解決するための手段】
【０００４】
以上の課題を解決するために、本発明は、ドアノブに取り付ける金物ないしベルト。そしてそれらに取り付けるワイヤー式暗証番号南京錠。そしてそのワイヤーを通すことにより施錠できる保管箱。それらのものを使用する事により、荷物の保管受け渡しできる事を特徴とする保管セットである。 
【発明の効果】
【０００５】
本発明によれば荷物の受け渡しが簡単になる。
【図面の簡単な説明】
【０００６】
【図１】この発明の一実施形態を示す姿図である。
【図２】この発明のドアノブに取り付けるワイヤベルトの姿図である。
【図３】この発明のドアノブに取り付ける金物の姿図。
【図４】この発明の収納ボックスの姿図。
【図５】この発明の収納ボックスのワイヤー止め部の方向変更の図。
【図６】この発明のワイヤー式南京錠の図。
【図７】この発明の伸縮機能を持つワイヤー式南京錠の内部図。
【図８】この発明の図３のドアノブ取り付け金物のワイヤー貫通方向変更図
【図９】この発明の従来の南京錠を使用しワイヤー片側のみ使用し保管箱の金                  具に通し、保管する方法の組み合わせの図。
【図１０】この発明の折りたためる収納ボックスの姿図。
【図１１】この発明の荷物保管ベルトの姿図。
【図１２】この発明の荷物保管ベルトに取り付けるワイヤー貫通施錠金物の図。
【図１３】この発明の荷物保管ベルトにワイヤー貫通施錠金物を取り付けている姿図
【発明を実施するための形態】
【０００７】
この発明の一実施形態を、図１に示す。
ドアノブに掛けられた止め具にワイヤーを通し収納ボックスの止め金に通し南京錠に差込めば完成となる。
【０００８】
「実施形態の効果」
この実施形態によれば、図２のベルト部１を握り球式ドアノブや、ハンドル式ドアノブに引っ掛けて、金物の出っ張り部を通し２と３の穴、ハンドルの仕様によっては３より下の穴を２と合わせ、そこに図6のワイヤー式南京錠のワイヤーを通し、図４の保管ボックスの４と５を合わせた穴に通しワイヤーの先端部を南京錠のワイヤ差込口に差し戻すことによりボックス内部の物が保管できるようになる。
「他の実施形態」
ドアノブに取り付ける金物としては、図３の形状のものも考えられる。図はＲ部分がバネ式であるが、バネでなくＲの上部をチョウ番式にしても良い。ただこの形状のものは、取り付けるドアノブに対応してサイズを変えたものを幾種類か用意しなければならない。また保管ボックスのワイヤー貫通による施錠部としては図５で６と７を合わせる形状のものも考えられる。またワイヤー式南京錠としては図７のようにワイヤーが伸縮できるよう内部にワイヤー巻取り部を設けたダイヤル式ワイヤー伸縮南京錠を使用することもできる。図３のドアノブに取り付ける金物のワイヤーを通す部分の形状は図８にすることも考えられる。また図９のように保管ボックスのワイヤー貫通部を長方形にして、ワイヤーの先端２０を通す方法をとれば、図３の金物の穴と１４に通常の南京錠のＵの字型の金属部分を通す方法で保管ボックスの施錠をすることも可能である。また保管ボックスを図１０のように施錠扉と反対側の面を開閉できるようにすることによって、宅配業者などがボックスの持ち運びの際かさばらないようにすることも考えられる。  また大きな荷物に関して、図１１のベルトを使用し図１２の金物にてワイヤー貫通施錠を可能にすることも考えられる。図１３がその組み合わせ図である
【符号の説明】
【０００９】
１、ドアノブ引っ掛けベルトのベルト部    ２、金物部の穴   ３、ベルト部の穴      ４、保管ボックスの上部穴    ５、保管ボックスの下部穴    ６、保管ボックスの下向き上部穴    ７、保管ボックスの上向き下部穴    ８、伸縮ワイヤ式ダイヤル南京錠のワイヤー    ９、ワイヤー巻き戻しゴムやバネ    １０、プッシュ式ワイヤ抜き出し装置  １１、伸縮ワイヤー引き出し止めレバー  １２、ダイヤル式暗号合わせ部      １３、伸縮ワイヤーストップレバー１４、通常南京錠Ｕの字型金物部差込口  １５、ワイヤー抜け止め金属        １６、背に面ファスナーを持った荷縛りベルト  １７、内に面ファスナーを持った荷縛りベルト  １８、ワイヤー貫通施錠金物を通すベルト  １９、ワイヤー貫通施錠金物に通す貫通の穴を持ったベルト  ２０、ワイヤー貫通施錠金物のワイヤーを通す穴
【図１】
2018188868.tif 000003
【図２】
2018188868.tif 000004
【図３】
2018188868.tif 000005
【図４】
2018188868.tif 000006
【図５】
2018188868.tif 000007
【図６】
2018188868.tif 000008
【図７】
2018188868.tif 000009
【図８】
2018188868.tif 000010
【図９】
2018188868.tif 000011
【図１０】
2018188868.tif 000012
【図１１】
2018188868.tif 000013
【図１２】
2018188868.tif 000014
【図１３】
2018188868.tif 000015
(57)【要約】【課題】排水口ゴミ受けの周囲に水が溜らない様にして、汚れの発生を防ぐこと。【解決手段】保持部材１を薄くして、その弱さを補強する為に厚さを増した補強部２を放射状に形成する。【選択図】図１
2018188943.tif 000002
【特許請求の範囲】
【請求項１】
排水口周囲の平面に乗る保持部材とこの保持部材の中央において排水口内に垂れ下るアミ状のゴミ袋とから成る排水口ゴミ受けにおいて、前記薄い保持部材を補強する為に厚くした補強部を放射状に形成した事を特徴とする排水口ゴミ受け。
【請求項２】
排水口周囲の平面に乗る保持部材とこの保持部材の中央において排水口内に垂れ下るアミ状のゴミ袋とから成る排水口ゴミ受けにおいて、前記保持部材の底面に排水口へ水を流す通水溝を形成した排出口ゴミ受け。
【発明の詳細な説明】
【技術分野】
【０００１】  本発明は排水口でゴミを取る排水口ゴミ受けに関するものである。
【背景技術】
【０００２】  水盤などの排水口でゴミを除去する排水口ゴミ受けは一般に図３の様にアミ状のゴミ袋ｂと、排水口周囲の平面４に乗る保持部材ａとから成るが（図はゴミ袋ｂが排水口に嵌っている状態を示す）、保持部材ａは２〜３ｍｍ程度の厚さがある為、その周囲に水が溜り、なかなか排水口内に流れ落ちない為、沈殿物が堆積し、短期間の内に排水口周囲が汚れる欠点がある。
【発明の開示】
【発明が解決しようとする課題】
【０００３】  本発明の目的は排水口ゴミ受けの周囲に水が溜らない構造とする事によって沈澱物が堆積しない様にし、排水口の周囲が汚れるのを防ぐことにある。
【課題を解決する為の手段】
【０００４】  本発明は上記目的を達成する為、排水口周囲の平面に乗る保持部材とこの保持部材の中央部において排水口内に垂れ下るアミ状のゴミ袋とから成る排水口ゴミ受けにおいて前記薄い保持部材を補強する為に厚くした補強部を放射状に形成する様にした。
【発明の効果】
【０００５】  本発明によれば排水口周囲の平面に乗る排水口ゴミ受けの保持部材は厚さが薄いので、保持部材周囲に水が溜らず沈殿物が堆積しないから、汚れが発生せず、いつまでも清潔さを保つ事ができる。
【発明を実施する為の形態】
【０００６】  図１（イ）は本発明による排水口ゴミ受けを示し（例えばプラスチック製とする）。
これは排水口周囲の平面４に乗る保持部材１とこの保持部材１の中央において排水口内に垂れ下るアミ状のゴミ袋３とから成り（図はアミ状のゴミ袋３が図示しない排水口内に垂れ下った状態を示す）、保持部材１は厚さが０．５〜１ｍｍ位と薄く、従ってその弱さを補強する為に厚さを２〜２．５ｍｍ位と厚くした補強部２を放射状に形成してある。補強部２は図では４本にしてあるが、図１（ロ）の様に、それ以上、例えば８本としても良い。使い方はアミ状のゴミ袋３を図１（ハ）の様に排水口内に嵌め込んで垂れ下げて使う。この様に保持部材１が厚さ０．５〜１ｍｍ位と薄い為（従来は２〜３ｍｍ位）、その周囲に水が溜らず、従って沈殿物は堆積せず、いつまでも清潔さを保つ事ができる。図２（イ）に示す排水口ゴミ受けは保持部材１′は厚さが２ｍｍ位と図１（イ）より厚いが、その底面には排水口へ水を流す通水溝５が形成されているから、保持部材１′の周囲には水が溜らず沈殿物の堆積もない為、いつまでも清潔さを保つ事ができる。補強部２′には通水溝５は形成されていないから強さを保つ事ができる（補強部２′の厚さは保持部材１′と同じか、又は若干厚くしても良い）。尚、図２（イ）において隣り合う補強部２′間にある保持部材１′の部分は底面は通水溝５があり、上面は平面であるが、この上面も図２（ロ）の様に肉厚を一定にする如く全体を波状に形成しても良い。尚、本発明においては、保持部材１（１′）は単なる円形であるが、花びら形などとしても良い。又、魚形でも良い（以上は図１（ニ）、（ホ）参照―縮小図）。
【０００７】  石けんは使っている内に薄く小さくなって、使えなくなり、無駄になる、この問題を解決するには次に使う新しい石けんに薄く小さくなった石けんを固着させて一体化し、１つの石けんとして使うのが良い。図４（イ）において石けんは石けん入れ容器Ａ（水を溜める容器６と石けんを置く容器９とから成り、風呂場で常時置いておいて使うのに便利、持ち運びには不向き）に入れられているが、次に使う新しい石けんに湯をかけて図４（ハ）の様に容器６の底部に形成された凹凸部７（例えばギザギザ状の断面をもつ凹凸）を押し付けて石けんの表面に凹凸を作っておく。
そして薄く小さくなった石けんを手の掌に乗せて同様に容器６の底部に形成された凹凸部７を押し付けて凹凸を作り、図４（ホ）の様に次に使う新らしい石けんと薄く小さくなった石けんの各々の凹凸を互いに押圧して固着させる（この場合、各々の石けんの凹凸を交叉する如く押圧しても良い）。
こうすると一定の時間経過の後に両者は強く固着し合い、１つの石けんとして使う事ができ、無駄がなくなる。尚、凹凸部７は容器６の側面８に形成しても良く、更には容器９に形成しても良い（いずれも石けん入れ容器Ａの外壁面に形成する）。
図４（ロ）に示す石けん入れ容器Ｂは石けんを入れる容器１０と蓋として機能する容器１１とから成り、石けんを持ち運びするのに便利なものであるが、これも図４（ニ）の様に容器１１に形成された凹凸部１２により石けんの表面に凹凸を形成し、同時に薄く小さくなった石けんにも凹凸を形成して図４（ホ）の如く両者を固着、一体化する。
以上、石けんの表面に凹凸を作る凹凸部は石けん入れ容器に形成していたが、図４（ヘ）は板状部材１３に凹凸部１４を形成したものであり、図４（ト）はボディブラシの柄１５に凹凸部１６を形成したものである。尚、図４（ヘ）の板状部材１３の裏面は細かな凹凸を形成して軽石の様に足のかかとのケアに使う事ができる。
【図面の簡単な説明】
【０００８】
【図１】  本発明による排水口ゴミ受けの図。
【図２】  本発明による排水口ゴミ受けの図。
【図３】  従来の排水口ゴミ受けの図。
【図４】  薄く小さくなった石けんを新らしい石けんに固着して一体化して使う場合の説明図。
【符号の説明】  １・１′は保持部材、２・２′は補強部、３はアミ状のゴミ袋、４は排水口周囲の平面（水盤など）、５は通水溝、ａは保持部材、ｂはアミ状のゴミ袋、６・９・１０・１１は容器、７・１２・１４・１６は凹凸部、８は側面、１３は板状部材、１５は柄、Ａ・Ｂは石けん入れ容器である。
【図１】
2018188943.tif 000003
【図２】
2018188943.tif 000004
【図３】
2018188943.tif 000005
【図４】
2018188943.tif 000006
(57)【要約】      （修正有）【課題】家庭内に一時的不和が発生した場合、即座に別居でき、関係悪化を防止するとともに、時間の経過とともに不和の鎮静化を図り、話し合いにより同居に戻りうる集合住宅内家庭内同居別居可能住宅を提供する。【解決手段】玄関１は共用とする、プライバシー確保のためそれぞれにお手洗い１１，１２を占有する、台所８と洗面９、浴室１０は共用とし、それぞれの占有エリアから直接入室できる構造とし、台所、洗面浴室に可動扉を取り付ける。【選択図】図１
2018188941.tif 000002
【特許請求の範囲】
【請求項１】
通常一住居として機能している集合住宅内において、同居、別居を任意に選択できる住居。
【発明の詳細な説明】
【技術分野】
【０００１】本発明は集合住宅内における、家庭内同居別居を即座に可能とする、建築技術である。
【背景技術】
【０００２】従来家族間の不和に対応した住居は皆無だった。
【発明の概要】
【０００３】この発明は集合住宅内における家族間の一時的不和に対応し、それ以上の不和を防止するため、即座に別居し不和の鎮静化を図り、別居や離婚を防止し、個人の幸福と社会の安定に寄与しようとするものである。第一図参照前提条件として集合住宅の構造上玄関は共用とする。別居生活に入る場合、居間側居住者は居間（３）とお手洗い（１１）を占有する、別居先居間（４）居住者は別居先居間（４）とお手洗い（１２）を占有する。台所（８）と洗面浴室（９，１０）はこの発明による可動扉（１７，１８）を操作することにより時間差をもって使用し、一設備ながら、別居生活を成立させることが可能となる。プライバシーを守るため、居間側（３）お手洗い（１１）と別居側（４）お手洗い（１２）を設置する。台所（８）に可動扉（１８）を設置する、洗面浴室（９，１０）に可動扉（１７）を設置する。個人が結婚をし家族生活に入った場合、考え方の違いや生活習慣の相違により、家庭内不和が発生することがある、そのまま同居を続けるとストレスのため、関係はますます悪化し、別居から離婚に至ることがある。この発明はこの欠点を除去し、婚姻期間の延伸や完結を目指すものである、家族間に不和が発生した場合即座に別居し、それ以上の関係悪化を防ぎ、時間の経過により不和の鎮静化を図り、お互いに話し合いをし同居に戻ることによって、婚姻の継続を目指すものである。第一図の通り居間（３）側居住者は台所使用時は引き戸（２２）を開とし、この発明による可動扉（１８）を中間位置から別居側居間（４）の引き戸（２０）に密着させ使用する。台所（８）を退室する場合は可動扉を中間位置まで戻し、相手居住者の使用に支障ないようにしておく、万一別居側居間（４）居住者が台所を使用中であれば、可動扉は居間側（３）の引き戸（２２）に密着しているため、使用せず時間をずらし使用する、洗面（９）浴室（１０）についても同様時間差をもって使用すれば、一設備ながら家族間別居が可能となる。
【課題を解決するための手段】
【０００４】この発明はプライバシー確保のため、お手洗いを二か所に設置している、また台所（８）と洗面浴室（９，１０）に可動扉（１７，１８）を設置しなければならないため建設費の増大がある、このため他の設備で節約を図らなければならない。
【発明の効果】
【０００５】この発明の効果により、家庭内の不和が決定的に悪化せず、時間の経過とともに鎮静化し、もって婚姻の延伸や完結が可能となる。
【発明を実施するための形態】
【０００６】広く社会に公告し周知させたい。
【図面の簡単な説明】
【０００７】
【図１】第一図はこの発明による集合住宅の平面図である、家族同居時は全室内自由に往来できるが、別居時は居間（３）側居住者は居間（３）とお手洗い（１１）を占有する、別居側居間（４）側居住者は別居側居間（４）とお手洗い（１２）を占有する。台所（８）はこの発明による可動扉（１８）を相手側引き戸に密着させることにより一定時間内占有使用が可能になる、洗面浴室（９，１０）についても同様とする。洋室（５、６、７）については話し合いにより、占有を定める。玄関（１）廊下（２）は共有とする。
【符号の説明】
【０００８】１、  玄関２、  廊下３、  居間４、  洋室−１（別居時別居側居間）５、  洋室−２６、  洋室−３７、  洋室−４８、  台所９、  洗面所１０、浴室１１、お手洗い（居間側）１２、お手洗い（別居居間側）１３、クローゼット１４、クローゼット１５、クローゼット１６、クローゼット１７、洗面所用可動扉１８、台所用可動扉１９、引き戸２０、引き戸２１、引き戸２２、引き戸２３、引き戸２４、引き戸２５、引き戸
【図１】
2018188941.tif 000003
(57)【要約】【課題】コンクリート工事などに於けるホームタイのナット等の緩みを防止するための部品を提供する。【解決手段】ホームタイのナット等が振動によって緩まない部品を取り付ける。【選択図】図５
2018188942.tif 000002
【特許請求の範囲】
【請求項１】
コンクリート工事などに於いて、ホームタイのナット等が緩まない様に取付ける部品。
【請求項２】
既設のボルトに打込み取付ける請求項１のナット。
【請求項３】
既設のボルトに取付ける請求項１の六角用ナット
【請求項４】
ナットを挟み固定する請求項１の金具。
【請求項５】
ナットを上から押える請求項１の金具。
【請求項６】
ホームタイの金具に引掛けて固定する請求項１の金具。
【請求項７】
単管パイプ等に引掛けて固定する請求項１の金具。
【請求項８】
型枠に直接取付けられる請求項１の金具。
【発明の詳細な説明】
【技術分野】
【０００１】      本発明は、ホームタイ等の緩みを防止する為の部品に関するものである。
【背景技術】
【０００２】      コンクリート工事に於いて、柱や壁・梁等にコンクリートを打設する場合、型枠に      ホームタイを使用する事が多いが、ホームタイの締め付けが最良であっても打設時      にはコンクリートを流動させる必要が有るためバイブレーターを用いるので、型枠      を押える為の単管パイプを固定するホームタイのナットがバイブレーターの振動に      よって緩んでしまう事が多い。【０００３】      特に壁に直接振動させる壁バイブレーターにあってはホームタイのナットの多くが緩んでしまい大きな問題に成る場合が有る。
【発明の概要】
【発明が解決しようとする課題】
【０００４】      バイブレーター等による振動でナットが緩まない様にする必要が有る。【０００５】      工事によっては、ホームタイ本体が緩むのを押える必要が有る。
【課題を解決するための手段】
【０００６】      ホームタイをＷナットにするために既設のナットの他にナットを打込む。【０００７】      既設のナットが緩まない様にナットを押える金具を取り付ける。【０００８】      ホームタイ自体が緩まない様に固定するための金具を取り付ける。
【発明の効果】
【０００９】      金具等を付ける事によって、コンクリートの打設時にナットが緩み締め直す事が無くなる。
【図面の簡単な説明】
【００１０】
【図１】Ｗナット用打込みナット。（ａ）平面図（ｂ）側面図
【図２】図１のナットをホームタイに打込む。
【図３】打込み完了図。
【図４】Ｗナット用六角ナット。（ａ）平面図（ｂ）側面図（ｃ）設置完了側面図（ｄ）設置完了平面図
【図５】既設ナット回転防止側面固定金具。（ａ）側面図（ｂ）外面図（ｃ）平面図（ｄ）内面図
【図６】図５の金具の取付完了図。（ａ）側面図（ｂ）平面図
【図７】既設ナット回転防止上部固定金具。（ａ）側面図（ｂ）外面図（ｃ）平面図（ｄ）内面図
【図８】図７の金具の取付完了図。（ａ）側面図（ｂ）平面図
【図９】ホームタイ本体軸回転防止金具。（ａ）使用部品（ｂ）部品組立図（ｃ）平面図
【図１０】図９の金具の取付図。（ａ）金具とホームタイ（ｂ）取付完了側面図（ｃ）取付完了平面図
【図１１】ホームタイ本体軸回転防止単管パイプ等引掛け金具。（ａ）使用部品（ｂ）使用部品組立図（ｃ）平面図
【図１２】図１１の金具の取付図（ａ）金具とホームタイ（ｂ）取付完了側面図
【図１３】特願２０１６−１５０６５２に於いてホームタイ本体が回転しない様に取付ける金具。（ａ）側面図（ｂ）平面図（ｃ）固定完了側面図（ｄ）固定完了平面図
【図１４】図１３の金具とホームタイの取付図
【符号の説明】
【００１１】      １        既設のボルトに取付けられるＷナット用打込めるナット
２        ホームタイ本体
２ａ      ホームタイ本体のボルト
２ｂ      単管等を押える金具
２ｃ      ２ｂの金具を固定させる既成ナット
３        単管パイプ
４        ホームタイを取付ける型枠
５        既設のボルトに取付けられるＷナット用六角ナット
６        既設ナット回転防止側面固定金具
６ａ      ２ｂの金具に引掛ける為の部分
７        既設ナット回転防止上部固定金具
７ａ      既設のナットの回転を上から押える枠
７ｂ      ２ｂの金具に引掛ける為の部分
８ａ      ホームタイ本体軸回転防止金具
８ｂ      ホームタイ本体軸回転防止金具
９        ホームタイのボルト部に取付ける金具
９ａ      ８ａと９を固定するナット
９ｂ      ９ａに使用する座金
１０ａ    ホームタイ本体軸回転防止単管パイプ等引掛け金具
１０ｂ    ホームタイ本体軸回転防止単管パイプ等引掛け金具
１１      セパレーター接続部分
１１ａ    型枠に固定する為の一体型プレート
１１ｂ    ホームタイ接続外螺子部分
１１ｃ    セパレーター接続内螺子部分
１１ｄ    螺子用穴
１２      型枠取付用螺子
１３      型枠補強枠（桟木等）
１４      セパレーター
１５      水抜き穴用パイプ
【図１】
2018188942.tif 000003
【図２】
2018188942.tif 000004
【図３】
2018188942.tif 000005
【図４】
2018188942.tif 000006
【図５】
2018188942.tif 000007
【図６】
2018188942.tif 000008
【図７】
2018188942.tif 000009
【図８】
2018188942.tif 000010
【図９】
2018188942.tif 000011
【図１０】
2018188942.tif 000012
【図１１】
2018188942.tif 000013
【図１２】
2018188942.tif 000014
【図１３】
2018188942.tif 000015
【図１４】
2018188942.tif 000016
(57)【要約】【課題】ドア下からの隙間風を防ぎ、ドアの開閉がしやすく  取れにくい  美観を損なわない隙間風防止具を提供する。【解決手段】  ドアの下部を下から挟み込むため  ドア下面に面する底部を設け  該底部からドア下部の表裏に面する側面部を設け  該側面部にドア下部の表裏で布を挟み込む挟み部と  該挟み部から外側に開く開き部を設けた  ドア下の隙間風を防止することを特徴とする隙間風防止具。【選択図】図１
2018188940.tif 000002
【特許請求の範囲】
【請求項１】
ドア下面と面する底部を設け  該底部からドア下部の表裏に面するよう立ち上がる側面部を設ける。  この側面部に布をドアの表裏で圧迫するための挟み部を設け  該挟み部から外に開いた開き部を設けた隙間風防止具。
【請求項２】
側面部下部に膨らみを設けた請求項１の隙間風防止具。
【発明の詳細な説明】
【技術分野】
【０００１】  本発明は、ドアの下の隙間風を防止するためのものである。
【背景技術】
【０００２】  隙間風を防止するためスポンジに両面テープを張ったすきまテープが汎用されている。公開されているものでは  ドア下に布を付着させて床に垂らし隙間を閉じるものである。
【特許文献】
【０００３】
【先行技術】
【文献１】
特開平１０−１９６２４０
【文献２】
実願昭６１−４５９２２
【発明の概要】
【発明が解決しようとする課題】
【０００４】  住宅の開きドアの下には  換気のため８ｍｍ程度の隙間がある。隣室と温度差があると冷気がドア下から吹き込んでくる。市場ではすきまテープが販売されているが１ｍｍ以下の隙間を埋めるのは難しい。また  すきまテープが隙間より厚いと摩擦で容易に取れやすい。［文献１］のようにドア下部に布を両面テープで貼る方法では摩擦で剥がれる場合があり両面テープにほこりが付着して汚れる場合がある。  本発明は以上の問題を解決しようとするものである。
【課題を解決するための手段】
【０００５】  ドア下面に面する底部（１）を設け  該底部（１）からドアの表裏に面するよう立ち上がる側面部（２）を設ける。そして  該側面部に  布をドアの裏表で圧迫するための挟み部（３）設け  且つ  挟み部（３）から外に開いた開き部（４）を設ける。  以上を特徴とする隙間風防止具である。
【発明の効果】
【０００６】  本発明にて  布等の滑りやすく風を通さない素材（本文では以後布と表記）がドア下部の表裏から床に垂れ  布の中央がドア下面に面する床面に広範囲に接することで  隙間風を防止する。その結果  空調の電気代を節約できる。また  布に防音性があれば  防音にも利用できる。
【図面の簡単な説明】
【０００７】
【図１】本発明の斜視図。
【図２】本発明に布を装着した正面図。
【図３】本発明をドア下部に装着した斜視図。
【図４】側面部を部分的にしてふくらみを設けた斜視図。
【発明を実施するための形態】
【００８】  本発明は  図１のように  ドア下面を面する底部（１）と該底部（１）からドア（６）の表裏面に面する側面部（２）からなる。そして  側面部（２）に  底部から離れたところでドアの表裏で布を挟むための挟み部（３）と挟み部（３）から外に開いたドア下に嵌め込み易くするための開き部（４）を設ける。ドアを挟み込むために  弾力のある素材で作成する。
【００９】  挟み部（３）は突起状のものでもよく図４の様に側面部（２）と挟み部（３）が部分的でもよい。両狭み部（３）の間は  ドア下部を挟んだときドアの厚みと布の厚みを考慮しなければならない。また    図４の様にドア下に本発明を押しこむとき布（５）がまくれ込んでも良いように側面部（２）に膨らみを持たせてもよい。
【実施例】
【０１０】  ドア下部の底面の数倍の広さの布（５）を用いて  図２のように本発明の下から包み込むように巻き  布の端が  挟み部（３）の内側に接せる様に置き  図３のように上からドア下部を嵌め込むと  布（５）の中央部が本発明を包み込み下に垂れるため床と接触面を広くとることができて  且つ  本発明は隠され美観が損なわれることがない。
【符号の説明】
【０１１】  １  底部
２  側面
３  挟み部
４  開き部
５  布
６  ドア
７  床
【図１】
2018188940.tif 000003
【図２】
2018188940.tif 000004
【図３】
2018188940.tif 000005
【図４】
2018188940.tif 000006
(57)【要約】【課題】  化粧蓋の目的は化粧蓋以外の部分とできるだけ同等の意匠で違和感なく開口をふさぐことが目的の1つで従来の化粧蓋には脱着のための取っ手や金物【特許文献１】や穴などが必要であったため異質なものが存在することによる違和感がありデザイン性が低く部品点数が多かった。【解決手段】開口部「Ｂ」と化粧蓋「Ｆ」をアール状の突起のある形状にした。開口部の突起部分「Ｅ」には化粧蓋を受ける台座は設けずそれ意外の部分には化粧蓋を受ける台座「Ｄ」を設けた。開口部に上から化粧蓋を乗せることで開口をふさぐことが出来る「図４」ようにした。化粧蓋を外す際は化粧蓋の突起部分「Ｇ」を上から押さえることで突起部分と相対する化粧蓋の後部「Ｈ」が浮き上がり「図７」蓋をとることができるようにした。【選択図】図８
2018188193.tif 000002
【特許請求の範囲】
【請求項１】
様々なものに付帯する蓋で容易に開閉及び着脱ができる化粧蓋（ふさぎ蓋）（メクラ蓋）の構造。
【発明の詳細な説明】
【技術分野】
【０００１】
本発明は化粧蓋を開閉及び着脱するための構造に関するものである。
【背景技術】
【０００２】
従来の化粧蓋を開閉及び着脱するためには化粧蓋を持つための「取っ手」「手がかり」「穴」「つまみ」などを設けなければならず蓋とその他の部分に違和感があり調和性とデザイン性が低かった。
（例えば特許文献１参照）
【先行技術文献】
【特許文献】
【０００３】
【特許文献１】特開２００４−１３７８２７号広報
【発明の概要】
【発明が解決しようとする課題】
【０００４】
従来の化粧蓋は着脱及び開閉するために蓋を持ち上げるための取っ手「特許文献１」のような別部品や穴等が必要であった。
【０００５】
従来の化粧蓋は蓋の構成部品以外の取っ手や穴等が必要であったため異質な部品による違和感があり蓋と蓋以外の部分との調和が害されていた。
【課題を解決するための手段】
【０００６】
蓋の付く開口部と蓋を受け支える台座（内側の縁）と化粧蓋で構成した。開口と蓋の形状は一部分がアール状の出っ張った形になっており、その出っ張った部分には蓋を受け支えるための台座（内側の縁）は設けていない。蓋の出っ張った部分を指等で上から押さえる事で相対する蓋の後部が浮き上がり蓋を持つことができ着脱が可能となる。
【発明の効果】
【０００７】
化粧蓋の構造としては「開口」「台座（蓋を受け支えるための内側の縁）」「蓋」の最小限の部品で構成する事ができる。
【０００８】
異質な部品が付かないため構成部品に違和感がなく蓋の存在を感じさせることなく意匠性を高くできる。
【０００９】
部品点数が少ないため生産性が高く消耗部品がなくメンテナンスの必要がない。
【００１０】
化粧蓋の着脱が容易である。
【図面の簡単な説明】
【００１１】
【図１】発明の一実施例の開口の平面図である。
【図２】図１のａ位置断面図である。
【図３】図１のｂ位置断面図である。
【図４】発明の一実施例の平面図である。
【図５】図４のａ位置断面図である。
【図６】図４のｂ位置での断面図である。
【図７】発明の一実施例の化粧蓋を取外している時のイメージ図である。
【図８】発明の一実施例の化粧蓋を取外したイメージ図である。
【発明を実施するための形態】
【００１２】
開口部「Ｂ」と化粧蓋「Ｆ」をアール状の突起のある形状にした。開口部の突起部分「Ｅ」には化粧蓋を受ける台座は設けずそれ意外の部分には化粧蓋を受ける台座「Ｄ」を設けた。開口部に上から化粧蓋を乗せることで開口をふさぐことが出来る「図４」ようにした。化粧蓋を外す際は化粧蓋の突起部分「Ｇ」を上から押さえることで突起部分と相対する化粧蓋の後部「Ｈ」が浮き上がり「図７」蓋をとることができるようになっている。
【実施例１】
【００１３】
開口部「Ｂ」と化粧蓋「Ｆ」をアール状の突起のある形状にした。開口部の突起部分「Ｅ」には化粧蓋を受ける台座は設けずそれ意外の部分には化粧蓋を受ける台座「Ｄ」を設けた。開口部に上から化粧蓋を乗せることで開口をふさぐことが出来る「図４」ようにした。化粧蓋を外す際は化粧蓋の突起部分「Ｇ」を上から押さえることで突起部分と相対する化粧蓋の後部「Ｈ」が浮き上がり「図７」蓋をとることができるようになっている。
【符号の説明】
【００１４】
Ａ    ベースとなるパネル。
Ｂ    ベースパネルに開いた開口部。
Ｃ    開口の最大ライン。
Ｄ    化粧蓋を受ける台座部分。
Ｅ    開口の出っ張り（Ｄはない）部分。
Ｆ    化粧蓋。
Ｇ    化粧蓋の出っ張り部分。
Ｈ    化粧蓋の後部。
【図１】
2018188193.tif 000003
【図２】
2018188193.tif 000004
【図３】
2018188193.tif 000005
【図４】
2018188193.tif 000006
【図５】
2018188193.tif 000007
【図６】
2018188193.tif 000008
【図７】
2018188193.tif 000009
【図８】
2018188193.tif 000010
(57)【要約】【課題】【０００１】従来の車に付ける、フインドガラスの内側から付ける日除けは、取れやすく、剥がれる事があります。又取り付ける際に、多少の手間も掛かります。【解決手段】【０００２】本発明は、車の内側から日除けを付けるのではなく、外側に取り付ける物であります。その事で従来の取り付ける際の手間と直接、フインドガラスに日光が当たるのを避ける為ですそれによって、車内の温度が下がると思います。又夏の季節だけでは無く冬の季節に生じる霜等にも利用できます【選択図】図１
2018188120.tif 000002
【特許請求の範囲】
【発明の詳細な説明】
【０００１】本発明は、車のフィンドガラス張るシートに関する。
【背景技術】
【０００２】従来の車に張るシートは、内側からフィンドガラスに吸盤で取り付けるものがあります。
【先行技術文献】
【発明が解決しようとする課題】
【０００３】
2018188120.tif 000003
内側から吸盤で止めるアルミシートがありますが、私の発明品は車内から張るアルミシートの手間と、吸盤が落ちる事がなく、車内の温度を直射日光から遮り又冬の霜取りにも最適な品物である。
【課題を解決するための手段】
2018188120.tif 000004
アルミシートがありますが、張る時の面倒と吸盤が剥がれたりする事を解決する品物です。
【発明の効果】
【０００４】車の中での作業、窮屈さをなくし又吸盤が落る事の心配がなく、フィンドガラスが直接日光を当る事を防ぎフィンドガラスに伝わる温度を少しでも車内に持ち込まない様にする、又冬の季節におこるフィンドガラスに付く霜取りに最適である
【図面の簡単な説明】
【０００５】
【図１】
2018188120.tif 000005
【０００６】
【図２】
2018188120.tif 000006
【図３】
2018188120.tif 000007
【手続補正書】
【提出日】平成29年11月10日(2017.11.10)
【手続補正２】
【補正対象書類名】明細書
【補正対象項目名】全文
【補正方法】変更
【補正の内容】
【発明の詳細な説明】
【図面の簡単な説明】車のフィンドガラスの面にかぶせる物．
内側からではなく、外側からかぶせる事で直射日光をさける為、又  冬の季節での霜取りにもなる
【手続補正書】
【提出日】平成30年3月3日(2018.3.3)
【手続補正１】
【補正対象書類名】特許請求の範囲
【補正対象項目名】全文
【補正方法】変更
【補正の内容】
【特許請求の範囲】
【請求項１】
この商品は、車のブラインドガラスに取り付ける物で、従来にある物は車内から取り付けるけど、この商品は外から取り付ける事で面倒な作業を少なくした物です。
【請求項２】
外側に取り付ける事によって、車のブラインドガラスを直接、日光や霜等の刺激が無い事です。
【手続補正２】
【補正対象書類名】明細書
【補正対象項目名】全文
【補正方法】変更
【補正の内容】
【発明の詳細な説明】
【技術分野】
【０００１】本発明は、車のブラインドに取り付ける物で内側から取り付ける物では無く車の外側に、取り付ける物です。図１で示す。
【背景技術】
【０００２】素材は、ポリエチリン樹脂のアルミニウムを使う【０００３】素材の両端に取り付ける物は、太いストロー状形のものを使う。そして、その中にひもを入れる
図３、で示す。
【発明の概要】
【発明が解決しようとする課題】
【０００４】上記のかすだれは、フィンドガラスの内側から吸盤等で取り付けるけど外れたりする時が、あるが（図４）である、かすだれは外側に取り付ける物で取り付けも簡単で外ずれにくい事です。【０００５】両端のストローから出るヒモ（図５）をバックミラーの所に掛けて、ストッパー等でひもの緩みを伸ばす。
【発明の効果】
【０００６】このかすだれは、夏の直接日光を、フィンドガラスに直に当てる事が無い為に車内の温度を下げる物です
又冬にはフィンドガラスに付く霜等を除く手間を省く物です。【０００７】かすだれの表面に（図６）色々な絵等をプリントする事で見て楽しむ物としても良いと思います。
【図面の簡単な説明】
【０００８】
【図１】車のウイドガラスに外からつける物で夏は、直接ウイドガラスに直射日光を当てない事  冬は、外側に掛ける事で、霜がつきにくい様に
【図２】素材は、ポリエチリン樹脂のアルミニウムを使う
【図３】両側に出ている、ひもの様な物は、中に穴のあいたストロー状の様な固い物を使う  その中にひもを入れる
【図４】車のバックミラーに掛けて使う
【図５】ストッパーを引っぱってひものゆるみを伸ばす
【図６】色々なキャラクターで楽しむ。
【手続補正３】
【補正対象書類名】図面
【補正対象項目名】全図
【補正方法】変更
【補正の内容】
【図１】
2018188120.tif 000008
【図２】
2018188120.tif 000009
【図３】
2018188120.tif 000010
【図４】
2018188120.tif 000011
【図５】
2018188120.tif 000012
【図６】
2018188120.tif 000013
(57)【要約】      （修正有）【課題】従来からある電動アシスト自転車はバッテリーとモーターの力でペダルを漕ぐ労力を減らし、とても便利な乗り物ですが、電気の減った重たいバッテリーを充電器で充電しないといけない作業がありとても面倒であることを改善する。【解決手段】自転車の前輪には従来からランプを点灯させる小型発電機１を取り付け、自転車が走行しだすと小型発電機１が発電。その電力が自力発電装置内２にある駆動モーターを駆動し、回転部を回転させ永久磁石とコイル層で発電する。その電力で電動アシストモーター３を可動させる。【選択図】図２
2018188119.tif 000002
【特許請求の範囲】
【請求項１】
従来からある電動アシスト自転車のバッテリーを発電機の内蔵された容器に置きかえ、自転車走行時に前輪（Ｇ）に取り付けられた
従来からあるランプをつける小型発電装置▲１▼の電力で主発電装置▲２▼内にあるモーターを駆動させ
円盤上に永久磁石が配置された回転部（Ａ）とコイル層で発電しその電力で既存の電動アシストモーター▲３▼を可動させるシステム。
【請求項２】
信号待ちなど自転車が停止している場合、発電がストップしてしまうので主発電機▲２▼内に電子回路（Ｃ）と小型バッテリー（Ｅ）を設置。
走行時に主発電装置▲２▼で発電された電力を電子回路（Ｃ）を通して小型バッテリー（Ｅ）に蓄え、自転車停止時にそのバッテリーに蓄えられた電力で駆動モーターを補助的に３〜４分駆動させ、次に自転車を漕ぎ出す時の電動アシストをスムーズにするシステム。
【発明の詳細な説明】
【技術分野】
【０００１】従来ある電動アシスト自転車の取り外しできるバッテリーを自力発電する発電装置を取り付けた電動アシスト自転車に関する。
【発明概要】
【０００２】従来からある電動アシスト自転車のバッテリーの位置に主発電装置▲２▼を設置する。
【０００３】主発電装置▲２▼内には多層に配置されたコイル層（Ｂ）と円形に配置された永久磁石（Ｆ）が設置された円盤と駆動モーター（Ｄ）で構成される回転部。（Ａ）［図３、図４］
自転車停止時に補助的に駆動モーターに電力を送る電子回路（Ｃ）と小型バッテリー（Ｅ）で構成される。［図２］
【０００３】自転車前輪には従来からランプを点灯させる小型発電機▲１▼を取り付け、自転車が走行しだすと小型発電機が発電。
その電力が自力発電装置内▲２▼にある駆動モーターを駆動させ回転部を回転させ永久磁石（Ｆ）とコイル層（Ｂ）で発電。
その電力で電動アシストモーター▲３▼を可動させる。
【０００４】信号などで自転車が停止すると当然電力が止まり主発電機装置▲２▼も発電しなくなるので、走行時に主発電装置▲２▼で発電された電力を電子回路（Ｃ）を通して小型バッテリー（Ｅ）に充電。
自転車が停止すると走行時に小型バッテリー（Ｅ）に充電された電力で補助的に駆動モーター（Ｄ）を３〜４分駆動させ発電を行い、次の自転車漕ぎ出し時、スムーズに電動アシストモーター▲３▼を可動させ走行できる。
【図面の簡単な説明】
【０００５】
【図１】自転車全体図
【図２】自力発電システム図
【図３】主発電部外観図
【図４】発電用永久磁石が配置された回転部（Ａ）
【符号の説明】
【０００６】  ▲１▼前輪発電機
▲２▼主発電装置
▲３▼電動アシストモーター
（Ａ）回転部
（Ｂ）コイル層
（Ｃ）電子基板
（Ｄ）駆動モーター
（Ｅ）小型バッテリー
（Ｆ）永久磁石
（Ｇ）自転車前輪
【図１】
2018188119.tif 000003
【図２】
2018188119.tif 000004
【図３】
2018188119.tif 000005
【図４】
2018188119.tif 000006
(57)【要約】      （修正有）【課題】コードの収納および使用時のコードの長さの調節を容易におこなえる用具を提供すること。【解決手段】面ファスナーとコードの巻き取り部１とを連結させ、巻き取り部にコードを巻き付けた後、面ファスナーの凹面部２と凸面部３とを密着させることによって、コードを固定させる。【選択図】図１
2018188305.tif 000002
【特許請求の範囲】
【請求項１】
面ファスナーとコードの巻き取り部とを連結させ、巻き取り部にコードを巻き付けた後、面ファスナーの凹面部と凸面部とを密着させることによって、コードを固定させることを特徴とするコードの収納および使用時の長さの調節具。
【発明の詳細な説明】
【技術分野】
【０００１】  本発明は、イヤホンなどのコードの収納および使用時のコードの長さを調節する用具を提供し、利便性を向上させようとするものである。
【背景技術】
【０００２】  近年、携帯音楽プレーヤーやスマートフォンなどが普及し、イヤホンを使用して音楽などを楽しんでいる人たちは多い。一方、イヤホンコードや充電器コードなどを収納する方法としては、既に束ね終えたコードを、面ファスナーを利用したテープなどで巻き付けて固定させる方法などが存在してきた。
【先行技術文献】
【特許文献】
【０００３】
【特許文献１】特開２００１−３５４３６３
【発明の概要】
【発明が解決しようとする課題】
【０００４】  イヤホンコードなどの場合には収納と使用を頻繁に繰り返すことが多い。そのため従来の方法では、収納や使用のしやすさの点で利便性に欠ける。そして、依然としてコードの絡みつきの問題は存在しており、またコードが必ずしも適切な長さではない場合も存在する。本発明はこれらの問題点を解決することを課題としている。
【課題を解決するための手段】
【０００５】  本発明においては、面ファスナーとコードの巻き取り部とを連結させ、巻き取り部にコードを巻き付けた後、面ファスナーの凹面部と凸面部を密着させることによってコードを固定させる形状となっている。
【発明の効果】
【０００６】  これにより、コードの巻き取りやすさが向上する。そして、収納時のコードの絡みつきを防ぐと共に、適切な箇所で巻き取るのを止めて面ファスナーの凹面部と凸面部を密着させることにより、コードを自由な長さに調節して使用することもできる。
【図面の簡単な説明】
【０００７】
【図１】本発明のコードを装着した状態を示す平面図である。
【図２】本発明の収納過程を示す図である。
【図３】本発明の収納時を示す図である。
【図４】本発明の立面図である。
【図５】本発明の別の実施例を示す立面図である。
【図６】本発明の別の実施例における収納時を示す図である。
【発明を実施するための形態】
【０００８】  図面を参照して本発明の実施形態を説明する。まず図１に示すようにコードの巻き取り部の中に、コードの装着部を設け、コードに本発明の本体を装着させる。装着させる方法としては図１に示すように穴を開けてコードを通し装着させる方法などが考えられる。
【０００９】  コードの収納時には、図２に示すようにコードの巻き取り部にコードを巻き付けていく。またコードの長さを短くして使用したい場合は、巻き付け回数を調節する。
【００１０】  次いで、図３に示すように面ファスナーの凹面部と凸面部とを密着させて収納する。こうすることで収納時には絡みつきを防ぐことができる。また、使用時にも面ファスナーの凹面部と凸面部とを密着させ、本発明の本体を装着したままで使用する。こうすることで収納と使用を繰り返す場合であっても、速やかに収納や使用のための動作に入ることができる。
【００１１】  本発明は、図４に示すように面ファスナーの凹面部と凸面部がコードの巻き取り部の一方の面に設けられており、両面部を張り合わせるように密着させて固定する構造となっているが、図５に示すように面ファスナーの凹面部か凸面部の一方を、コードの巻き取り部の裏面に設けて、収納時には巻き絞るように固定させる構造とすることもできる。図６は凹面部か凸面部の一方をコードの巻き取り部の裏面に設け、巻き絞るように固定させた場合の本発明の別の実施例の収納時を示す図である。
【符号の説明】
【００１２】  １    コードの巻き取り部
２    凹面部
３    凸面部
４    コードの装着部
５    凹面部の裏面
６    凸面部の裏面
７    コード
８    イヤホン
９    イヤホンジャック
１０  面ファスナーの凹凸面の密着部
【図１】
2018188305.tif 000003
【図２】
2018188305.tif 000004
【図３】
2018188305.tif 000005
【図４】
2018188305.tif 000006
【図５】
2018188305.tif 000007
【図６】
2018188305.tif 000008
(57)【要約】【課題】どなたでも、容易に素早くゴム製レジ及びビニール袋摩擦係数差異式ローラー機構開口装置によりビニール及びレジ袋の開口が容易に素早くできる、ゴム製レジ及びビニール袋摩擦係数差異式ローラー機構開口装置を提供する。【解決手段】ゴム製（シリコンゴム及びフッ素ゴム）摩擦係数差異式ローラー部品▲４▼、▲５▼とテンションの調節機構（調整式スプリングテンショナー）部品▲３▼、と本体（樹脂製及び金属製）部品▲１▼と据え置きタイプには、本体ベース固定ボルト▲２▼を使用することで、安全に容易に素早くビニール袋及びレジ袋等を開口できることが可能にしました。【選択図】図１
2018188218.tif 000002
【特許請求の範囲】
【請求項１】
ゴム製（シリコンゴム及びフッ素ゴム）摩擦係数差異式ローラー機構▲４▼、▲５▼を設けて、ローラーの摩擦係数の差異によってビニール及びレジ袋の開口をさせる機構である。ローラーの（汚れ及び摩耗等）条件に合わせて、テンションの調節機構（調整式スプリングテンショナー）▲３▼、を設ける。本体▲１▼は、樹脂製及び金属製にすることで丈夫で安全に使用できる構造である。据え置きタイプでは、安全のためにベースを固定ボルト▲２▼によりベースを固定させて安全に使用できる構造である。
【発明の詳細な説明】
【技術分野】
【０００１】この発明は、指等に水等の摩擦を向上させる液体を使用せずに容易に速くレジ及びビニール袋を開口できるゴム製レジ及びゴム製レジ及びビニール袋摩擦係数差異式ローラー機構開口装置に関する物である。
【背景技術】
【０００２】従来、水分等の摩擦向上液体を使用したレジ及びビニール袋の開口装置は存在したが、時間と管理が必要で衛生的にも良くない物であった。
【先行技術文献】
【特許文献】
【０００３】
【特許文献１】特開２００７−３０９８２（Ｐ２００７−３０９８２Ａ）
【特許文献２】実開平７−７９５
【発明の概要】
【発明が解決しようとする課題】
【０００４】これらは、次のような欠点があった。
（イ）水分等の摩擦向上の液体が必要。
（ロ）管理と補充が必要。
（ハ）時間がかかる。
（ニ）使用に技術が必要である。
【課題を解決する為の手段】
【０００５】（イ）摩耗向上の液体が必要としない、摩擦係数の高い材質を使用。
（ロ）摩擦係数の高い（フッ素及びテフロンの等のゴム）ゴムを使用。
（ハ）摩擦係数の高い材質と物理的な機構により時間の短縮が可能である。
（ニ）ゴム製レジ及びビニール袋摩擦係数差異式ローラー機構により、単純な操作で多様に対応が可能である。
【発明の効果】
【０００６】（イ）水分等の摩擦向上の液体が不要により、液体の補給等の管理が不要で衛生的でコストが掛からない。
（ロ）水分等の摩擦向上の液体が不要により、液体の補給等の管理が不要で衛生的でコストが掛からない。
（ハ）時間の短縮により、混雑の緩和と快適に作業が可能になる。
（ニ）どなたにも、容易に操作が可能である。
【図面の簡単な説明】
【０００７】
【図１】本発明の全体図である。
【発明を実施するための形態】
【０００８】以下、本発明を実施するための形態について説明する。
ゴム製レジ及びビニール袋摩擦係数差異式ローラー機構開口装置の本体▲１▼にゴム製（シリコンゴム及びフッ素ゴム）摩擦係数差異式ローラー  ワンウェイローラー▲４▼、トゥーウェイローラー▲５▼が二本の腕に装着されて、テンションの調節ボルト（調整式スプリングテンショナー）▲３▼、によってテンションが掛かった状態でゴム製（シリコンゴム及びフッ素ゴム）摩擦係数差異式ローラー  ワンウェイローラー▲４▼、トゥーウェイローラー▲５▼の間にビニール及びレジ袋の開口部を手前から奥へ通してから、手前に引っ張ると開口できる構造である。据え置きタイプでは、本体▲１▼が引っ張られるので、安全を考慮してベース固定ボルト▲２▼を設ける。
【符号の説明】
【０００９】▲１▼  本体  ゴム製レジ及びビニール袋摩擦係数差異式ローラー機構開口装置
▲２▼  本体ベース固定ボルト
▲３▼  テンション調整ボルト  調整式スプリングテンショナー
▲４▼  ワンウェイローラー  ゴム製（シリコンゴム及びフッ素ゴム）摩擦係数差異式ローラー
▲５▼  トゥーウェイローラー  ゴム製（シリコンゴム及びフッ素ゴム）摩擦係数差異式ローラー
【図１】
2018188218.tif 000003